(57)【要約】【課題】取付作業を容易に実施できる取付具及び建物の壁構造を提供する。【解決手段】取付具１０は当接具３０を備えることが可能である。取付具１０は、基板部１１、壁部１２、突出部１３、支持部１４、第１係止部１５及び第２係止部１６を有する。壁部１２は、基板部１１の一方の側端縁１１Ａから基板部１１に対して突出する。突出部１３は、基板部１１の他方の側端縁１１Ｂ側から壁部１２と同じ側に突出し、かつ基板部１１から突出する長さＬ１３が壁部１２よりも短い。当接具３０は、突出部１３側から基板部１１及び基板部１１と略同一平面８Ｐ上の少なくとも一方に固定可能な取付部３１と、取付部３１に対して交差する方向に立設され、基板部１１とは反対側に向かって突出する立設片３２と、取付部３１と一体をなし、基板部１１に対して交差する方向から突出部１３を挟持可能な挟持部３３と、を有する。【選択図】図５
2019065543.tif 000002
【特許請求の範囲】
【請求項１】
当接具を備えることが可能であり、構造体に壁材を取り付けるための取付具であって、
前記取付具は、
前記構造体に固定可能な基板部と、
前記基板部の一方の側端縁から前記基板部に対して突出する壁部と、
前記基板部の他方の側端縁側から前記壁部と同じ側に突出し、かつ前記基板部から突出する長さが前記壁部よりも短い突出部と、
前記壁部の先端縁から前記基板部と対向するように延びて前記突出部に接近する支持部と、
前記支持部から前記基板部とは反対側に向かって突出し、前記壁部側に屈曲する第１係止部と、
前記支持部から前記基板部とは反対側に向かって突出し、前記突出部側に屈曲する第２係止部と、を有し、
前記当接具は、
前記突出部側から前記基板部及び前記基板部と略同一平面上の少なくとも一方に固定可能な取付部と、
前記取付部に対して交差する方向に立設され、前記基板部とは反対側に向かって突出する立設片と、
前記取付部と一体をなし、前記基板部に対して交差する方向から前記突出部を挟持可能な挟持部と、を有していることを特徴とする取付具。
【請求項２】
前記挟持部は、
前記取付部と一体をなし、前記突出部に当接可能な第１挟持部と、
前記第１挟持部との間に前記突出部の板厚と略等しい隙間を設けて前記第１挟持部と共に前記突出部を挟持可能な第２挟持部と、
前記取付部とは反対側で前記第１挟持部と前記第２挟持部とを接続しつつ前記取付部から離間するように延びる板部と、を有している請求項１記載の取付具。
【請求項３】
前記壁部は、貫通孔を有している請求項１又は２記載の取付具。
【請求項４】
前記壁部は、前記基板部側から前記支持部側に向かうにつれて、前記突出部から離間するように傾斜している請求項１乃至３のいずれか１項記載の取付具。
【請求項５】
前記当接具の前記取付部は、前記基板部及び前記基板部と略同一平面上の少なくとも一方に対して締結具で固定されるための固定孔を有し、
前記基板部は、前記支持部とは反対側に凹み、かつ前記基板部の前記他方の側端縁と平行に延びる凹部を有し、
前記凹部は、前記挟持部が前記突出部を挟持し、かつ前記取付部が前記基板部に対向する状態で、前記固定孔の中心を通過する位置に配置されている請求項１乃至４のいずれか１項記載の取付具。
【請求項６】
構造体に対し、当接具を備えることが可能な取付具を用いて壁材を取り付けた壁構造であって、
前記取付具は、
前記構造体に固定可能な基板部と、
前記基板部の一方の側端縁から前記基板部に対して突出する壁部と、
前記基板部の他方の側端縁側から前記壁部と同じ側に突出し、かつ前記基板部から突出する長さが前記壁部よりも短い突出部と、
前記壁部の先端縁から前記基板部と対向するように延びて前記突出部に接近し、前記壁材の裏面を支持可能な支持部と、
前記支持部から前記基板部とは反対側に向かって突出し、前記壁部側に屈曲し、前記壁材の一端部を係止可能な第１係止部と、
前記支持部から前記基板部とは反対側に向かって突出し、前記突出部側に屈曲し、前記壁材の他端部を係止可能な第２係止部と、を有し、
前記当接具は、
前記突出部側から前記基板部及び前記基板部と略同一平面上の少なくとも一方に固定可能な取付部と、
前記取付部に対して交差する方向に立設され、前記基板部とは反対側に向かって突出し、前記壁材の側端部に当接可能な立設片と、
前記取付部と一体をなし、前記基板部に対して交差する方向から前記突出部を挟持可能な挟持部と、を有していることを特徴とする建物の壁構造。
【請求項７】
構造体に壁材を取り付けるための取付具であって、
前記構造体に固定可能な基板部と、
前記基板部の一方の側端縁から前記基板部に対して突出する壁部と、
前記基板部の他方の側端縁側から前記壁部と同じ側に突出し、かつ前記基板部から突出する長さが前記壁部よりも短い突出部と、
前記壁部の先端縁から前記基板部と対向するように延びて前記突出部に接近する支持部と、
前記支持部から前記基板部とは反対側に向かって突出し、前記壁部側に屈曲する第１係止部と、
前記支持部から前記基板部とは反対側に向かって突出し、前記突出部側に屈曲する第２係止部と、を有していることを特徴とする取付具。
【請求項８】
前記壁部は貫通孔を有し、前記基板部側から前記支持部側に向かうにつれて、前記突出部から離間するように傾斜している請求項７記載の取付具。
【発明の詳細な説明】
【技術分野】
【０００１】
本発明は壁材の取付具及び建物の壁構造に関する。
【背景技術】
【０００２】
特許文献１〜３に壁材を取り付けるための従来の取付具の例が開示されている。特許文献１開示の取付具（留付金具）は、断面略Ｃ型の形状であり、第１側壁部が基板部の上端縁から基板部に対して突出し、第１当接部が第１側壁部の先端縁から下向きに屈曲している。
【０００３】
特許文献２開示の取付具（第１の留付金具）は、壁材（外壁板）の横ずれを防止するための当接具（横ずれ防止金具）を備えることが可能である。この取付具では、上方水平部が上方立設部を介して平板部に接続し、上向きに突出している。当接具は、上方水平部を裏側係止片と下方固定板で挟持することにより、取付具に仮り付けされる。
【０００４】
特許文献３開示の取付具（留め付け治具本体）は、当接具（左右隔置板）を備えることが可能である。この取付具では、固定面板が基板部（背面板）と段差をもって下地材側に形成されている。当接具は、タッピンネジのみを用いて固定面板に固定される。
【先行技術文献】
【特許文献】
【０００５】
【特許文献１】特開２０１５−７４９４７号公報
【特許文献２】特開２０１３−１１０５６号公報
【特許文献３】特開２００３−７４１６７号公報
【発明の概要】
【発明が解決しようとする課題】
【０００６】
しかし、特許文献１記載の取付具では、当接具が開示されていない。
【０００７】
また、特許文献２記載の取付具では、当接具を構造体に接近する方向に移動させて上方水平部よりも上方に位置させた後、下向きに移動させて下方固定板を挟持させるため、当接具を取付具の裏側に挟み込む必要があり、取付作業が面倒である。
【０００８】
さらに、特許文献３記載の取付具では、固定面板により、当接具を仮り付けなしでタッピンネジを用いて固定面板に固定する構成であるため、取付作業時に当接具が落下するおそれがある。このため、取付作業を容易に、かつ安全に実施することが難しい。
【０００９】
本発明は、上記従来の実情に鑑みてなされたものであって、取付作業を容易に実施できる取付具及び建物の壁構造を提供することを解決すべき課題としている。
【課題を解決するための手段】
【００１０】
本発明の第１の態様の取付具は、当接具を備えることが可能であり、構造体に壁材を取り付けるための取付具であって、
前記取付具は、
前記構造体に固定可能な基板部と、
前記基板部の一方の側端縁から前記基板部に対して突出する壁部と、
前記基板部の他方の側端縁側から前記壁部と同じ側に突出し、かつ前記基板部から突出する長さが前記壁部よりも短い突出部と、
前記壁部の先端縁から前記基板部と対向するように延びて前記突出部に接近する支持部と、
前記支持部から前記基板部とは反対側に向かって突出し、前記壁部側に屈曲する第１係止部と、
前記支持部から前記基板部とは反対側に向かって突出し、前記突出部側に屈曲する第２係止部と、を有し、
前記当接具は、
前記突出部側から前記基板部及び前記基板部と略同一平面上の少なくとも一方に固定可能な取付部と、
前記取付部に対して交差する方向に立設され、前記基板部とは反対側に向かって突出する立設片と、
前記取付部と一体をなし、前記基板部に対して交差する方向から前記突出部を挟持可能な挟持部と、を有していることを特徴とする。
【００１１】
第１の態様の取付具では、当接具を基板部に対して交差する方向に移動させるだけで、挟持部に取付具の突出部を挟持させることができる。つまり、当接具を屋外側から移動させて、取付具の突出部に容易に仮り付けでき、その仮り付けされた当接具の取付部を例えば、ねじ等の締結具によって、基板部及び基板部と略同一平面上の少なくとも一方に固定できる。
【００１２】
したがって、本発明の第１の態様の取付具では、取付作業を容易に実施できる。
【００１３】
本発明の第２の態様として、挟持部は、取付部と一体をなし、突出部に当接可能な第１挟持部と、第１挟持部との間に突出部の板厚と略等しい隙間を設けて第１挟持部と共に突出部を挟持可能な第２挟持部と、取付部とは反対側で第１挟持部と第２挟持部とを接続しつつ取付部から離間するように延びる板部と、を有していることが望ましい。
【００１４】
この場合、第１、２挟持部及び板部を板金の折り曲げ加工等によって容易に形成できる。そして、作業者が板部を持ちながら、第１、２挟持部に突出部を確実に挟持させることができる。
【００１５】
本発明の第３の態様として、壁部は、貫通孔を有していることが望ましい。
【００１６】
この場合、壁材の裏面と基板部との間の空間と、貫通孔とにより、取付具の周辺において通気性を確保することができる。また、壁部に到達した雨水等を貫通孔によって下方に流すことができる。その結果、壁材や構造体の強度や耐久性の低下を抑制できる。
【００１７】
本発明の第４の態様として、壁部は、基板部側から支持部側に向かうにつれて、突出部から離間するように傾斜していることが望ましい。
【００１８】
この場合、壁部に到達した雨水等を傾斜によって構造体から離間する方向に流すことができる。特に、壁部が貫通孔を有する場合には、構造体から離間する方向に流された雨水等をその貫通孔によって下方に流すことができる。その結果、壁材や構造体の強度や耐久性の低下を抑制できる。
【００１９】
本発明の第５の態様として、当接具の取付部は、基板部及び基板部と略同一平面上の少なくとも一方に対して締結具で固定されるための固定孔を有していることが望ましい。基板部は、支持部とは反対側に凹み、かつ基板部の他方の側端縁と平行に延びる凹部を有していることが望ましい。そして、凹部は、挟持部が突出部を挟持し、かつ取付部が基板部に対向する状態で、固定孔の中心を通過する位置に配置されていることが望ましい。
【００２０】
この場合、固定孔に挿入されるねじ等の締結具の尖った先端が凹部に引っ掛かることにより、締結具の固定孔に対する位置ズレを抑制できる。その結果、取付作業を一層容易に実施できる。
【００２１】
本発明の第６の態様の建物の壁構造は、構造体に対し、当接具を備えることが可能な取付具を用いて壁材を取り付けた壁構造であって、
前記取付具は、
前記構造体に固定可能な基板部と、
前記基板部の一方の側端縁から前記基板部に対して突出する壁部と、
前記基板部の他方の側端縁側から前記壁部と同じ側に突出し、かつ前記基板部から突出する長さが前記壁部よりも短い突出部と、
前記壁部の先端縁から前記基板部と対向するように延びて前記突出部に接近し、前記壁材の裏面を支持可能な支持部と、
前記支持部から前記基板部とは反対側に向かって突出し、前記壁部側に屈曲し、前記壁材の一端部を係止可能な第１係止部と、
前記支持部から前記基板部とは反対側に向かって突出し、前記突出部側に屈曲し、前記壁材の他端部を係止可能な第２係止部と、を有し、
前記当接具は、
前記突出部側から前記基板部及び前記基板部と略同一平面上の少なくとも一方に固定可能な取付部と、
前記取付部に対して交差する方向に立設され、前記基板部とは反対側に向かって突出し、前記壁材の側端部に当接可能な立設片と、
前記取付部と一体をなし、前記基板部に対して交差する方向から前記突出部を挟持可能な挟持部と、を有していることを特徴とする。
【００２２】
本発明の第６の態様の建物の壁構造によれば、第１の態様の取付具が奏する作用効果により、取付作業を容易に実施できる。
【００２３】
本発明の第７の態様の取付具は、構造体に壁材を取り付けるための取付具であって、
前記構造体に固定可能な基板部と、
前記基板部の一方の側端縁から前記基板部に対して突出する壁部と、
前記基板部の他方の側端縁側から前記壁部と同じ側に突出し、かつ前記基板部から突出する長さが前記壁部よりも短い突出部と、
前記壁部の先端縁から前記基板部と対向するように延びて前記突出部に接近する支持部と、
前記支持部から前記基板部とは反対側に向かって突出し、前記壁部側に屈曲する第１係止部と、
前記支持部から前記基板部とは反対側に向かって突出し、前記突出部側に屈曲する第２係止部と、を有していることを特徴とする。
【００２４】
第７の態様の取付具では、突出部の任意の位置に、例えば、壁材の横ずれを防止するための部材等の追加部材を容易に取り付けることができる。
【００２５】
本発明の第８の態様として、壁部は貫通孔を有し、基板部側から支持部側に向かうにつれて、突出部から離間するように傾斜していることが望ましい。
【００２６】
この場合、第３及び第４の態様の取付具と同様の作用効果を奏することができる。
【発明の効果】
【００２７】
本発明の取付具及び建物の壁構造では、取付作業を容易に実施できる。
【図面の簡単な説明】
【００２８】
【図１】図１は、実施の形態１の建物の壁構造の斜視図である。
【図２】図２は、実施の形態１の取付具と、取付具に備えられる当接具とを示す斜視図である。
【図３】図３は、実施の形態１に係り、外壁板の斜視図である。
【図４】図４は、実施の形態１に係り、取付具及び当接具によって外壁板を支持する状態を示す部分斜視図である。
【図５】図５は、図２のＶ−Ｖ断面を示す部分断面図である。
【図６】図６は、実施の形態１に係り、当接具の正面図である。
【図７】図７は、実施の形態１に係り、当接具の上面図である。
【図８】図８は、図２のＶＩＩＩ−ＶＩＩＩ断面を示す部分断面図である。
【図９】図９は、実施の形態２の取付具の部分斜視図である。
【図１０】図１０は、実施の形態２の取付具に備えられる当接具を示す斜視図である。
【図１１】図１１は、実施の形態２に係り、図５と同様の断面を示す部分断面図である。
【図１２】図１２は、実施の形態３の取付具の部分斜視図である。
【発明を実施するための形態】
【００２９】
以下、本発明を具体化した実施の形態１〜３を図面を参照しつつ説明する。なお、図１において、垂直上方向を上と表示し、垂直下方向を下と表示する。また、図１の屋外から屋内に向う方向において水平左方向を左と表示し、水平右方向を右と表示する。そして、図２以降の各図に示す各方向は、図１に対応させて表示する。
【００３０】
（実施の形態１）
図１に示すように、実施の形態１の壁構造は、壁構造の具体的態様の一例である。この壁構造は、住宅、施設、倉庫等の建物を構成する構造体８に対し、図２に示す取付具１０を用いて、複数の外壁板２を取り付けたものである。外壁板２は、壁材の一例である。図３及び図４等に示すように、外壁板２は、それ自体が高い強度や剛性を有して建物の外壁を構成する壁材である。なお、壁材は外壁板に限定されず、例えば、建物を外装する化粧板、屋内用構造パネル、内装板等であってもよい。
【００３１】
図１に示すように、構造体８は、例えば、鉄骨造等の躯体である。構造体８は、複数の構造部材によって構成されている。構造部材には、左右方向に所定の間隔を有して並ぶ複数の柱部材９の他、柱部材９間に配置される間柱等の補助部材も含まれる。柱部材９や間柱等としては、Ｃ型鋼等の鋼製型材等が使用される。なお、構造体８は、本実施の形態の構成に限定されず、例えば、鉄筋コンクリート造、レンガ造等の躯体、又は木造建築物であってもよい。
【００３２】
各柱部材９間には、断熱材５が設けられている。断熱材５は、ロックウール繊維やグラスウール繊維等からなる繊維系断熱材である。断熱材５は、発泡ポリウレタン、発泡フェノール、発泡ポリスチレン等の発泡プラスチック系断熱材であってもよい。
【００３３】
断熱材５の表面には、断熱ボード６及び防水シート７が敷設されている。断熱ボード６は、例えば、耐火性や遮音性を有する石膏ボード、石膏ボードと発泡フェノール板との複合板、発泡ポリスチレンボード等である。防水シート７は、公知の防水シートである。断熱ボード６及び防水シート７は、柱部材９等に図示しない止めねじ等によって取り付けられて、上下方向及び左右方向に延在し、各柱部材９及び補助部材を屋外側から覆っている。なお、防水シート７は省略してもよい。
【００３４】
実施の形態１の取付具１０は、各柱部材９の屋外側に固定されて、構造体８に対し、複数の外壁板２を上下方向及び左右方向に隣接するように取り付けるためのものである。取付具１０は、取付具の具体的態様の一例である。
【００３５】
各取付具１０は、各柱部材９と外壁板２との間に配置されている。各取付具１０は、上下方向に所定の間隔をおいて各柱部材９に取り付けられ、それぞれ左右方向に延びている。図２及び図４等に示すように、取付具１０は、長尺な金属製型材である。取付具１０は、金属板材が折り曲げ加工及びプレス加工等されることによって製造されている。なお、取付具１０の材質や製造方法は上記に限定されず、各種の材料や、製造方法を適宜選択できる。
【００３６】
取付具１０の形状についての以下の説明では、上下方向、左右方向及び屋内外方向について、図５等に示すように、柱部材９に固定された状態の取付具１０の姿勢を基準とする。
【００３７】
図２に示すように、取付具１０の基板部１１は、左右方向の長さが上下方向の長さよりも大きい長方形状をなしている。基板部１１の左右方向の長さは、一例として約５０〜７０ｃｍであるが、これよりも長くてもよいし、短くてもよい。また、取付具１０は、施工箇所に応じて、適宜切断して使用される。
【００３８】
基板部１１には、複数の固定孔１１Ｈが屋内外方向に貫設されている。各固定孔１１Ｈは、基板部１１における上下方向の略中央に配置され、左右方向に所定の間隔をおいて互いに離間している。基板部１１の屋内方向を向く面は、断熱ボード６や柱部材９に当接可能な平坦面となっている。基板部１１の屋外方向を向く面も、平坦面となっている。図２及び図４に示すように、基板部１１における各固定孔１１Ｈよりも上方には、凹部１１Ｄが形成されている。凹部１１Ｄは、基板部１１の屋外方向を向く面から屋内方向に溝状に凹み、かつ基板部１１の上端縁１１Ｂと平行な方向、すなわち左右方向に直線状に延びている。
【００３９】
図５に示すように、基板部１１が左右方向に延びる状態で断熱ボード６に当接される。基板部１１は、取付具１０のための締結具としてのねじ１０Ｂが任意の固定孔１１Ｈに挿通されて、断熱ボード６を介して各柱部材９にねじ込まれることにより、各柱部材９に締結されるようになっている。こうして、取付具１０の基板部１１は、複数の柱部材９に亘って固定されるようになっている。固定孔１１Ｈは、取付具１０を柱部材９に固定する際において、取付具１０の固定位置の決定や位置ずれを抑制し、作業を容易にする。
【００４０】
図２及び図５に示すように、壁部１２は、基板部１１の下端縁１１Ａから略直角に屈曲して屋外方向に突出し、かつ左右方向に延びる長方形状をなしている。基板部１１の下端縁１１Ａは、基板部の一方の側端縁の一例である。図５に示すように、壁部１２には、貫通孔１２Ｈが上下方向に貫設されている。図示は省略するが、貫通孔１２Ｈは、左右方向に所定の間隔をおいて、壁部１２に複数設けられている。
【００４１】
突出部１３は、基板部１１の上端縁１１Ｂから屈曲して屋外方向に突出し、かつ左右方向に延びる長方形状をなしている。基板部１１の上端縁１１Ｂは、基板部の他方の側端縁の一例である。突出部１３の上面及び下面は平坦面となっている。本実施の形態１では、基板部の他方の側端縁である上端縁１１Ｂから突出部１３が形成されているが、突出部１３は必ずしも上端縁１１Ｂから直接に形成される必要はなく、他方の側端縁側、すなわち、上端縁を含む上端縁の近傍の領域から形成されていればよい。
【００４２】
突出部１３の板厚Ｔ１は、取付具１０を構成する金属板材等の板厚である。突出部１３が屋外方向に突出する長さをＬ１３とし、壁部１２が屋外方向に突出する長さをＬ１２とする。長さＬ１３は長さＬ１２よりも短く設定されている。つまり、突出部１３の先端縁は、壁部１２の先端縁１２Ａよりも基板部１１に近い位置にある。これにより、突出部１３の先端縁と外壁板２の裏面２Ｂとの間に隙間Ｗ２ができる。
【００４３】
支持部１４は、壁部１２の先端縁１２Ａから略直角に屈曲して、基板部１１と対向するように上方に延びて、突出部１３に接近している。支持部１４は、左右方向の長さが上下方向の長さよりも大きい長方形状をなしている。支持部１４は、基板部１１と略平行である。支持部１４の屋外方向を向く面は、外壁板２の裏面２Ｂに当接可能な平坦面となっている。
【００４４】
複数の第１係止部１５及び第２係止部１６が支持部１４の上端縁１４Ａに接続している。第１係止部１５は、支持部１４の上端縁１４Ａから略直角に屈曲して屋外方向に突出する支承部１７の一部と第１係止片１５Ｂとを含んでいる。第２係止部１６は、支承部１７の他部と第２係止片１６Ｂとを含んでいる。
【００４５】
第１係止部１５の第１係止片１５Ｂは、支承部１７の複数箇所が略Ｃ字状に切り欠かれて、支承部１７の先端縁から下向きに、すなわち壁部１２側に屈曲することにより、屋外方向に向かって下り傾斜するように突出している。
【００４６】
第２係止部１６の第２係止片１６Ｂは、支承部１７の先端縁から上向きに、すなわち突出部１３側に屈曲することにより、屋外方向に向かって上り傾斜するように突出している。第２係止片１６Ｂは、左右方向に延在する長方形状をなしている。図２及び図４に示すように、第２係止片１６Ｂは、左右方向に間隔をおいて複数箇所にスリット１６Ｓが形成されている。
【００４７】
取付具１０は、当接具３０を備えることが可能である。図２、図４及び図５等に示すように、当接具３０は、取付具１０の突出部１３における任意の箇所に取り付けられて、外壁板２の横ズレを防止するためのものである。
【００４８】
当接具３０は、金属板材が折り曲げ加工及びプレス加工等されることによって製造される。なお、当接具３０の材質や製造方法は上記に限定されず、各種の材料や、製造方法を適宜選択できる。
【００４９】
当接具３０の形状についての以下の説明では、上下方向、左右方向及び屋内外方向について、図５等に示すように、取付具１０に固定された状態の当接具３０の姿勢を基準とする。
【００５０】
図２及び図４〜図７に示すように、当接具３０は、取付部３１、立設片３２及び挟持部３３を有している。
【００５１】
取付部３１は、左右方向の長さが上下方向の長さよりも大きい略長方形状をなしている。取付部３１の屋内方向を向く面は、取付具１０の基板部１１における屋外方向を向く面に当接可能な平坦面となっている。
【００５２】
取付部３１には、６つの固定孔３１Ｈが屋内外方向に貫設されている。各固定孔３１Ｈは、左右方向に所定の間隔をおいて互いに離間している。各固定孔３１Ｈは、取付部３１における上下方向の略中央に配置されている。各固定孔３１Ｈは、当接具３０を取付具１０に固定する際において、当接具３０のための締結具としてのねじ３０Ｂを挿入するものである。
【００５３】
立設片３２は、取付部３１の左端縁から略直角に屈曲して屋外方向に突出し、かつ上下方向に延びる略矩形片である。
【００５４】
挟持部３３は、取付部３１の上端縁側に一体をなして設けられた上側挟持部３３Ｕと、取付部３１の下端縁側に一体をなして設けられた下側挟持部３３Ｄとを有している。上側挟持部３３Ｕと下側挟持部３３Ｄとは勝手違いの同一形状である。このため、上側挟持部３３Ｕの構成要素と下側挟持部３３Ｄの構成要素とに同一の符号を付して説明を省略又は簡略する。
【００５５】
具体的には、上側挟持部３３Ｕは、第１挟持部３５、第２挟持部３６、板部３４及び補助立設片３９を有している。下側挟持部３３Ｄも、第１挟持部３５、第２挟持部３６、板部３４及び補助立設片３９を有している。上側挟持部３３Ｕの第１挟持部３５、第２挟持部３６、板部３４及び補助立設片３９と、下側挟持部３３Ｄの第１挟持部３５、第２挟持部３６、板部３４及び補助立設片３９とは勝手違いの同一形状である。このため、上側挟持部３３Ｕの構成について詳しく説明し、下側挟持部３３Ｄの構成については説明を省略する。
【００５６】
図４〜図７に示すように、上側挟持部３３Ｕにおいて、第１挟持部３５は、取付部３１の端縁から屈曲して屋外方向に突出し、かつ左右方向に延びる長方形状をなしている。第１挟持部３５における取付部３１と反対側を向く面は、突出部１３に当接可能な平坦面となっている。
【００５７】
上側挟持部３３Ｕにおいて、板部３４は、第１挟持部３５の先端縁と接続している。板部３４は、第１挟持部３５の先端縁から屈曲して、取付部３１及び第１挟持部３５から離間するように上方に延びている。板部３４は、左右方向の長さが上下方向の長さよりも大きい略長方形状をなしている。
【００５８】
上側挟持部３３Ｕにおいて、第２挟持部３６は、板部３４に３つ形成されている。各第２挟持部３６は、左右方向に所定の間隔をおいて互いに離間している。各第２挟持部３６は、板部３４の一部及び第１挟持部３５の一部を略Ｃ字状に切り欠いて溝を設け、その溝の内側部分を板部３４から折り曲げることにより形成されている。第２挟持部３６は、板部３４から屈曲して屋内方向に突出する略矩形片である。つまり、板部３４は、第１挟持部３５と第２挟持部３６とを接続している。
【００５９】
図５に示すように、第２挟持部３６は、第１挟持部３５と対向するように平行に延びている。第２挟持部３６における第１挟持部３５と対向する面は、第１挟持部３５とは反対側から突出部１３に当接可能な平坦面となっている。
【００６０】
図６に示すように、第２挟持部３６は、第１挟持部３５との間に、取付具１０の突出部１３の板厚Ｔ１と略等しい隙間Ｗ１を設けている。
【００６１】
補助立設片３９は、板部３４の左端縁から略直角に屈曲して屋外方向に突出し、かつ上下方向に延びる略矩形片である。補助立設片３９は、立設片３２と同一平面上に配置されている。
【００６２】
このような構成である挟持部３３では、基板部１１に対して交差する方向から、すなわち、図２の紙面右側に示すように、屋外側から屋内側に向かう方向（矢印Ｙ１方向）において当接具３０の上側挟持部３３Ｕを取付具１０に接近させ、上側挟持部３３Ｕの第１挟持部３５と第２挟持部３６との隙間Ｗ１に突出部１３を進入させることにより、上側挟持部３３Ｕの第１挟持部３５と第２挟持部３６とが突出部１３を挟持するようになっている。
【００６３】
また、図２の紙面左側に示すように、屋外側から屋内側に向かう方向（矢印Ｙ１方向）において当接具３０の下側挟持部３３Ｄを取付具１０に接近させ、下側挟持部３３Ｄの第１挟持部３５と第２挟持部３６との隙間Ｗ１に突出部１３を進入させることにより、下側挟持部３３Ｄの第１挟持部３５と第２挟持部３６とが突出部１３を挟持するようになっている。
【００６４】
こうして、挟持部３３が突出部１３を挟持することにより、当接具３０が取付具１０の突出部１３に容易に仮り付けされるようになっている。この状態で、図５及び図８に示すように、ねじ３０Ｂが任意の固定孔３１Ｈを通過して、基板部１１及び基板部１１と略同一平面８Ｐ上（断熱ボード６の表面上）の少なくとも一方に締結される。ねじ３０Ｂは、締結具の一例である。
【００６５】
図４及び図５に示す例では、ねじ３０Ｂが固定孔３１Ｈを通過して基板部１１にねじ込まれることにより、取付部３１が基板部１１に締結されている。この際、基板部１１の凹部１１Ｄは、上側挟持部３３Ｕの第１挟持部３５と第２挟持部３６とが突出部１３を挟持し、かつ取付部３１が基板部１１に対向する状態で、固定孔３１Ｈの中心を通過する位置に配置されている。これにより、固定孔３１Ｈに挿入されるねじ３０Ｂの尖った先端が凹部１１Ｄに引っ掛かるので、ねじ３０Ｂの固定孔３１Ｈに対する位置ズレを抑制できるようになっている。
【００６６】
図８に示す例では、ねじ３０Ｂが固定孔３１Ｈを通過して、断熱ボード６及び柱部材９にねじ込まれることにより、取付部３１が基板部１１と略同一平面８Ｐ上（断熱ボード６の表面上）に締結されている。こうして、取付具１０の基板部１１の任意の位置に、当接具３０の取付部３１を固定することができるようになっている。
【００６７】
図３に示すように、外壁板２は、四辺形状、より具体的には、左右方向に長い略矩形状の板材である。本実施の形態では、外壁板２は、セメントを含む窯業系材料からなる。なお、外壁板２の材質や形状は上記には限定されない。例えば、外壁板２の材質は、金属系材、木質系材、樹脂系材等を適宜選択できる。また、外壁板２の形状は、四辺形状で上下方向に長い略矩形形状の板材等を適宜選択できる。
【００６８】
外壁板２の表面２Ｆは、例えばレンガ柄等のデザインが施された外装面となっている。外壁板２の左端部には、表側左右接合部２１が形成されている。外壁板２の右端部には、裏側左右接合部２２が形成されている。外壁板２の下端部には、表側上下接合部２３が形成されている。外壁板２の上端部には、裏側上下接合部２４が形成されている。なお、図３では、外壁板２の大きさに対して、表側左右接合部２１、裏側左右接合部２２、表側上下接合部２３及び裏側上下接合部２４の大きさが誇張して図示されている。
【００６９】
表側左右接合部２１は、外壁板２の裏面２Ｂから表面２Ｆに向かって凹み、上下方向、すなわち、外壁板２の左端部に沿って延びている。
【００７０】
裏側左右接合部２２は、外壁板２の表面２Ｆから裏面２Ｂに向かって凹み、上下方向、すなわち、外壁板２の右端部に沿って延びている。裏側左右接合部２２における屋外方向を向く平坦面には、コーキング２２Ｓが設けられている。コーキング２２Ｓは、裏側左右接合部２２に沿って直線状に配設されている。なお、コーキングは必須ではなく、コーキング２２Ｓを省略することもできる。
【００７１】
表側上下接合部２３は、外壁板２の裏面２Ｂから表面２Ｆに向かって凹み、左右方向、すなわち、外壁板２の下端部に沿って延びている。表側上下接合部２３には、上向きに略テーパ状に凹む係合凹部２３Ａが形成されている。
【００７２】
裏側上下接合部２４は、外壁板２の表面２Ｆから裏面２Ｂに向かって凹み、左右方向、すなわち、外壁板２の上端部に沿って延びている。裏側上下接合部２４における屋外方向を向く平坦面には、コーキング２４Ｓが設けられている。コーキング２４Ｓは、裏側上下接合部２４に沿って直線状に配設されている。なお、コーキングは必須ではなく、コーキング２４Ｓを省略することもできる。裏側上下接合部２４には、コーキング２４Ｓよりも上方において上向きに略テーパ状に突出する係合凸部２４Ａが形成されている。
【００７３】
図４に示すように、下側の外壁板２の裏側上下接合部２４と、上側の外壁板２の表側上下接合部２３とが重なり合うことによって、上下方向に隣接する外壁板２同士の間に、左右方向に延びる上下合決り部が形成される。図示は省略するが、右側の外壁板２の表側左右接合部２１と、左側の外壁板２の裏側左右接合部２２とが重なり合うことによって、左右方向に隣接する外壁板２同士の間に、上下方向に延びる左右合決り部が形成される。すなわち、外壁板２は、表側左右接合部２１、裏側左右接合部２２、表側上下接合部２３及び裏側上下接合部２４を備える、いわゆる「四方合決り構造」である板材である。
【００７４】
図１、図４及び図５に示すように、外壁板２は、取付具１０によって、以下のようにして構造体８に取り付けられる。
【００７５】
図１に示すように、複数の取付具１０を各柱部材９の下方の位置で左右方向に延びるように取り付ける。そして、各取付具１０に対して、複数の外壁板２を左右方向に隣接させた状態で取り付ける。この際、各外壁板２の下端部は、図５に示すように、取付具１０の第２係止部１６が係合凹部２３Ａを係止することによって、取付具１０に支持される。係合凹部２３Ａは、外壁板２の他端部の一例である。
【００７６】
次に、図１に示すように、各外壁板２に対して、上方から別の複数の取付具１０を左右方向に延びるように取り付ける。この際、各外壁板２の上端部は、図４及び図５に示すように、取付具１０の第１係止部１５が係合凸部２４Ａを係止することによって、取付具１０に支持される。係合凸部２４Ａは、外壁板２の一端部の一例である。
【００７７】
そして、その上方の取付具１０に対して、さらに、複数の外壁板２を左右方向に隣接させた状態で取り付ける。この際にも、それらの外壁板２の下端部は、図４及び図５に示すように、取付具１０の第２係止部１６が係合凹部２３Ａを係止することによって、取付具１０に支持される。
【００７８】
ここで、当接具３０は、複数の外壁板２を左右方向に隣接させた状態で取り付ける際に使用される。図４に示すように、取付具１０の第２係止部１６によって係合凹部２３Ａが係止された特定の外壁板２（２Ｓ）の右方の側端部２Ｒに対して、立設片３２及び補助立設片３９を右方から当接させた状態で、当接具３０の上側挟持部３３Ｕを取付具１０の突出部１３に仮り付けする。さらに、ねじ３０Ｂを固定孔３１Ｈ及び凹部１１Ｄに挿通して、断熱ボード６及び柱材９にねじ込むことにより、取付部３１を基板部１１に締結する。これにより、特定の外壁板２（２Ｓ）が右方に横ズレすることが防止される。そして、図示は省略するが、特定の外壁板２（２Ｓ）に別の外壁板２を右方から隣接させる。すなわち、その外壁板２の左方の側端部２Ｌ（図２参照）を立設片３２及び補助立設片３９に右方から当接させる。
【００７９】
図示及び説明は省略するが、特定の外壁板２（２Ｓ）の右方の側端部２Ｒに対して、立設片３２及び補助立設片３９を右方から当接させた状態で、図８に示すように、当接具３０の下側挟持部３３Ｄを取付具１０の突出部１３に仮り付けする場合も同様である。
【００８０】
こうして、取付具１０は、複数の外壁板２の互いに突き合わされるコーナー部、すなわち、四方合決り部を支持するようになっている。また、取付具１０の支持部１４が外壁板２の裏面２Ｂに当接することによって、構造体８の壁面と外壁板２の裏面２Ｂとの間に通気空間が確保される。
【００８１】
このような作業を他の外壁板２についても実施することにより、各外壁板２は、上下方向及び左右方向に隣接する状態で構造体８に支持され、構造体８の壁面を覆う。
【００８２】
＜作用効果＞
実施の形態１の取付具１０及び壁構造では、図２に矢印Ｙ１で示すように、当接具３０を屋外側から屋内側に向かう方向に移動させて基板部１１に接近させるだけで、挟持部３３を構成する上側挟持部３３Ｕ又は下側挟持部３３Ｄに取付具１０の突出部１３を挟持させることができる。つまり、当接具３０を屋外側から取付具１０の突出部１３に容易に仮り付けできる。そして、図４、図５及び図８に示すように、その仮り付けされた当接具３０の取付部３１をねじ３０Ｂによって、基板部１１、及び基板部１１と略同一平面８Ｐ上（断熱ボード６の表面上）の少なくとも一方に安全に固定できる。
【００８３】
また、この取付具１０及び壁構造では、図５に示すように、突出部１３が基板部１１から突出する長さＬ１３は、壁部１２が基板部１１から突出する長さＬ１２よりも短いので、軽量化し易い。
【００８４】
したがって、実施の形態１の取付具１０及び壁構造では、取付作業を容易に、かつ安全に実施できるとともに、軽量化を実現できる。
【００８５】
また、この取付具１０及び壁構造では、突出部１３の先端縁と外壁板２の裏面２Ｂとの間に隙間Ｗ２ができる。これにより、取付具１０の周辺において通気性を確保することができる。
【００８６】
さらに、この取付具１０及び壁構造では、作業者が当接具３０を仮り付けする際に誤って当接具３０を落下させても、壁部１２によって受け止めることができる。また、第１挟持部３５と第２挟持部３６との隙間Ｗ１が突出部１３の板厚Ｔ１よりも大きな場合でも、挟持部３３が突出部１３に当て止まるので、挟持部３３が突出部１３から外れ難い。
【００８７】
また、この取付具１０及び壁構造では、挟持部３３を構成する上側挟持部３３Ｕ及び下側挟持部３３Ｄが有する第１挟持部３５、第２挟持部３６及び板部３４を板金の折り曲げ加工等によって容易に形成できる。そして、作業者が板部３４を持ちながら、第１挟持部３５及び第２挟持部３６に突出部１３を確実に挟持させることができる。
【００８８】
さらに、この取付具１０及び壁構造では、図５に示すように、壁部１２の貫通孔１２Ｈと、外壁板２の裏面２Ｂと基板部１１との間の空間とにより、取付具１０の周辺において通気性を確保することができる。また、壁部１２に到達した雨水等を貫通孔１２Ｈによって下方に流すことができる。その結果、外壁板２や構造体８の強度や耐久性の低下を抑制できる。
【００８９】
また、この取付具１０及び壁構造では、図４及び図５に示すように、基板部１１の凹部１１Ｄは、上側挟持部３３Ｕが突出部１３を挟持し、かつ取付部３１が基板部１１に対向する状態で、固定孔３１Ｈの中心を通過する位置に配置されている。これにより、固定孔３１Ｈに挿入されるねじ３０Ｂの尖った先端が凹部１１Ｄに進入することにより、ねじ３０Ｂの固定孔３１Ｈに対する位置ズレを抑制できる。その結果、取付作業を一層容易に、かつ一層安全に実施できる。
【００９０】
（実施の形態２）
図９〜図１１に示すように、実施の形態２の取付具２１０及び壁構造では、実施の形態１の取付具１０に代えて、取付具２１０を採用するとともに、実施の形態１の当接具３０に代えて、当接具２３０を採用している。実施の形態２のその他の構成は、実施の形態１と同様である。このため、実施の形態１と同一の構成については同一の符号を付して説明を省略又は簡略する。
【００９１】
実施の形態２の取付具２１０は、壁部２１２、折返片２１１Ｃ及び突出部２１３を有している。取付具２１０のその他の構成は、実施の形態１に係る取付具１０と同様である。
【００９２】
壁部２１２は、基板部１１側から支持部１４側に向かうにつれて、突出部２１３から離間するように下り傾斜している。具体的には、図１１に示すように、壁部２１２と基板部１１の延長線とのなす角度αは、８０度に設定されている。８０度は一例であって適宜変更できる。壁部２１２のその他の構成は、実施の形態１に係る壁部１２と同様である。
【００９３】
折返片２１１Ｃは、基板部１１の上端縁１１Ｂから折り返されて下向きに延びている。
【００９４】
突出部２１３は、基板部１１の他方の側端縁である上端縁１１Ｂからではなく、上端縁１１Ｂを屋外側に折り返した折返片２１１Ｃの下端縁から屈曲した側端縁部１１Ｃから壁部２１２と同じ側に突出している。すなわち、実施の形態２では、突出部２１３が基板部１１の他方の側端縁側の領域から突出している。図１１に示すように、突出部２１３が基板部１１から突出する長さＬ２１３は、壁部２１２が基板部１１から突出する長さＬ２１２よりも短く設定されている。突出部２１３のその他の構成は、実施の形態１に係る突出部１３と同様である。
【００９５】
図１０は、第２の実施形態の当接具２３０を示しており、当接具２３０の取付部２３１Ｕは、左右方向の長さが上下方向の長さよりも大きい略長方形状をなしている。取付部２３１Ｕの屋内方向を向く面は、取付具２１０における基板部１１の屋外方向を向く面に当接可能な平坦面となっている。取付部２３１Ｕには、６つの固定孔２３１Ｈが屋内外方向に貫設されている。各固定孔２３１Ｈは、左右方向に所定の間隔をおいて互いに離間している。
【００９６】
取付部２３１Ｄは、取付部２３１Ｕに対して下方に位置しているだけで、取付部２３１Ｕと同一形状である。また、取付部２３１Ｕは、折返片２１１Ｃの板厚に対応して、取付部２３１Ｄよりも屋外方向に間隔Ｗ４ずれた位置にある。
【００９７】
立設片２３２Ｕは、取付部２３１Ｕの左端縁から略直角に屈曲して屋外方向に突出し、かつ上下方向に延びる略矩形片である。立設片２３２Ｄは、取付部２３１Ｄの左端縁から略直角に屈曲して屋外方向に突出し、かつ上下方向に延びる略矩形片である。立設片２３２Ｕと立設片２３２Ｄとは、同一平面上に配置されている。
【００９８】
挟持部２３３は、第１挟持部２３５、第２挟持部２３６及び板部２３４を有している。第１挟持部２３５は、取付部２３１Ｄの上端縁から屈曲して屋外方向に突出し、かつ左右方向に延びる長方形状をなしている。図１１に示すように、第１挟持部２３５における取付部２３１Ｄとは反対側を向く面は、突出部２１３に下から当接可能な平坦面となっている。第２挟持部２３６は、取付部２３１Ｕの下端縁から屈曲して屋外方向に突出し、かつ左右方向に延びる長方形状をなしている。図１１に示すように、第２挟持部２３６における取付部２３１Ｕとは反対側を向く面は、突出部２１３に上から当接可能な平坦面となっている。板部２３４は、取付部２３１Ｕ、２３１Ｄとは反対側で第１挟持部２３５と第２挟持部２３６とを接続している。第１挟持部２３５と第２挟持部２３６との隙間Ｗ３は、実施の形態１に係る第１挟持部３５と第２挟持部３６との隙間Ｗ１と同じである。
【００９９】
このような構成である実施の形態２の取付具２１０及び壁構造では、図１１に矢印Ｙ２で示すように、当接具２３０を屋外側から屋内側に向かう方向に移動させて基板部１１に接近させるだけで、挟持部２３３の第１挟持部２３５及び第２挟持部２３６に取付具２１０の突出部２１３を挟持させることができる。つまり、当接具２３０を屋外側から取付具２１０の突出部２１３に容易に仮り付けできる。そして、その仮り付けされた当接具２３０の取付部２３１Ｄをねじ３０Ｂによって、基板部１１に安全に固定できる。また、図示は省略するが、その仮り付けされた当接具２３０の取付部２３１Ｕをねじ３０Ｂによって、基板部１１と略同一平面８Ｐ上（断熱ボード６の表面上）に安全に固定できる。
【０１００】
また、この取付具２１０及び壁構造では、突出部２１３が基板部１１から突出する長さＬ２１３は、壁部２１２が基板部１１から突出する長さＬ２１２よりも短いので、軽量化し易い。
【０１０１】
したがって、実施の形態２の取付具２１０及び壁構造でも、実施の形態１と同様に、取付作業を容易に、かつ安全に実施できるとともに、軽量化を実現できる。
【０１０２】
また、この取付具２１０及び壁構造では、図１１に示すように、基板部１１の側端縁部１１Ｃが折返片２１１Ｃとなっていることから、取付具２１０は剛性が高くなっている。さらに、壁部２１２は、基板部１１側から支持部１４側に向かうにつれて、突出部２１３から離間するように下り傾斜している。これにより、壁部２１２に到達した雨水等を傾斜によって構造体８から離間する方向に流すことができる。そして、壁部２１２に形成された貫通孔１２Ｈによって、構造体８から離間する方向に流された雨水等を下方に流すことができる。その結果、外壁板２や構造体８の強度や耐久性の低下を抑制できる。
【０１０３】
（実施の形態３）
図１２に示すように、実施の形態３の取付具３１０では、突出部３１３は、基板部１１の上端縁１１Ｂから下向きに延びる切り込みによって屋外方向に向けて屈曲する複数の板状片によって構成されている。各突出部３１３は、基板部１１の上端縁１１Ｂよりも下方にずれた位置で、同一平面上に配置されている。つまり、各突出部３１３は、基板部１１の上端縁１１Ｂからではなく、側端縁部１１Ｃから壁部１２と同じ側に突出している。実施の形態３のその他の構成は、実施の形態１と同様である。このため、実施の形態１と同一の構成については同一の符号を付して説明を省略又は簡略する。
【０１０４】
このような構成である実施の形態３の取付具３１０でも、実施の形態１、２の取付具１０、２１０と同様の作用効果を奏することができる。
【０１０５】
以上において、本発明の形態を実施の形態１〜３に即して説明したが、本発明の形態は上記実施の形態１〜３に制限されるものではなく、その趣旨を逸脱しない範囲で適宜変更して適用できることはいうまでもない。
【０１０６】
例えば、実施の形態１に係る当接具３０において、上側挟持部３３Ｕ及び下側挟持部３３Ｄの一方をなくした構成も本発明に含まれる。
【０１０７】
また、実施の形態２に係る当接具２３０において、取付部２３１Ｕ及び取付部２３１Ｄの一方をなくした構成も本発明に含まれる。
【符号の説明】
【０１０８】
８…構造体
２…壁材（外壁板）
２Ｂ…壁材の裏面（外壁板の裏面）
２Ｌ、２Ｒ…壁材の側端部（２Ｌ…外壁板の左方の側端部、２Ｒ…外壁板の右方の側端部）
１０、２１０、３１０…取付具
１１…基板部
１１Ａ…基板部の一方の側端縁（基板部の下端縁）
１１Ｂ…基板部の他方の側端縁（基板部の上端縁）
１２、２１２…壁部
１２Ａ…壁部の先端縁
１３、２１３、３１３…突出部
Ｌ１３、Ｌ２１３…突出部が基板部から突出する長さ
Ｌ１２、Ｌ２１２…壁部が基板部から突出する長さ
１４…支持部
１５…第１係止部
１６…第２係止部
３０、２３０…当接具
８Ｐ…基板部と略同一平面
３１、２３１Ｕ、２３１Ｄ…取付部
３２、２３２Ｕ、２３２Ｄ…立設片
３３、２３３…挟持部
３５、２３５…第１挟持部
３６、２３６…第２挟持部
Ｔ１…突出部の板厚
Ｗ１…第１挟持部と第２挟持部との隙間
３４、２３４…板部
１２Ｈ…貫通孔
３０Ｂ…締結具（ねじ）
３１Ｈ…固定孔
１１Ｄ…凹部
【図１】
2019065543.tif 000003
【図２】
2019065543.tif 000004
【図３】
2019065543.tif 000005
【図４】
2019065543.tif 000006
【図５】
2019065543.tif 000007
【図６】
2019065543.tif 000008
【図７】
2019065543.tif 000009
【図８】
2019065543.tif 000010
【図９】
2019065543.tif 000011
【図１０】
2019065543.tif 000012
【図１１】
2019065543.tif 000013
【図１２】
2019065543.tif 000014